(57)【要約】【課題】初期化期間において下降する傾斜波形電圧を安定に発生させる。【解決手段】走査電極と維持電極とからなる表示電極対を有する放電セルを複数備えたプラズマディスプレイパネルと、初期化期間と書込み期間と維持期間とを有するサブフィールドを１フィールド期間内に複数設け、初期化期間において下降する傾斜波形電圧を発生させるミラー積分回路５６１およびミラー積分回路５６１に定電流を供給する定電流発生回路５８を有する走査電極駆動回路４３１とを備え、走査電極駆動回路４３１は、ミラー積分回路５６１を、スイッチング素子Ｑ１４、コンデンサＣ１２、抵抗Ｒ１１、コンデンサＣ１２に電気的に直列に接続したツェナーダイオードＤ１１を有する構成とするとともに、ツェナーダイオードＤ１１に電気的に並列に接続したコンデンサＣ１３を備えた構成とする。【選択図】図８
2009186806.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを１フィールド期間内に複数設け、前記初期化期間において下降する傾斜波形電圧を発生させるミラー積分回路および前記ミラー積分回路に定電流を供給する定電流発生回路を有する走査電極駆動回路とを備え、
前記走査電極駆動回路は、前記ミラー積分回路を、スイッチング素子、第１のコンデンサ、抵抗、前記第１のコンデンサに電気的に直列に接続したツェナーダイオードを有する構成とするとともに、前記ツェナーダイオードに電気的に並列に接続した第２のコンデンサを有する構成としたことを特徴とするプラズマディスプレイ装置。
【請求項２】
前記ミラー積分回路に備えられたスイッチング素子をＩＧＢＴで構成したことを特徴とする請求項１に記載のプラズマディスプレイ装置。
【請求項３】
前記走査電極駆動回路は、前記スイッチング素子に、前記定電流発生回路から出力される定電流で前記下降する傾斜波形電圧を発生させる動作をさせるか、前記定電流発生回路への入力信号にもとづくスイッチング動作をさせるかのいずれかの動作に切換える切換え回路を有し、
前記切換え回路は、前記スイッチング素子に、前記書込み期間においては走査パルス電圧を発生させるためのスイッチング動作をさせ、前記初期化期間においては前記下降する傾斜波形電圧を発生させるための動作をさせることを特徴とする請求項１に記載のプラズマディスプレイ装置。
【請求項４】
走査電極と維持電極とからなる表示電極対を有する放電セルを複数備えたプラズマディスプレイパネルを、
初期化期間と書込み期間と維持期間とを有するサブフィールドを１フィールド期間内に複数設け、スイッチング素子と第１のコンデンサと抵抗と前記第１のコンデンサに電気的に直列に接続したツェナーダイオードと前記ツェナーダイオードに電気的に並列に接続した第２のコンデンサとを有し前記初期化期間において下降する傾斜波形電圧を発生させるミラー積分回路および前記ミラー積分回路に定電流を供給する定電流発生回路を有する走査電極駆動回路を用いて駆動するプラズマディスプレイパネルの駆動方法であって、
前記書込み期間においては、前記ミラー積分回路に備えられたスイッチング素子に前記定電流発生回路への入力信号にもとづくスイッチング動作をさせて走査パルス電圧を発生させる動作をさせ、前記初期化期間においては前記ミラー積分回路に前記定電流発生回路から出力される定電流で前記下降する傾斜波形電圧を発生させる動作をさせることを特徴とするプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。各サブフィールドは、初期化期間、書込み期間および維持期間を有する。
【０００４】
初期化期間では各走査電極に初期化波形を印加し、各放電セルで初期化放電を発生させる。それにより、続く書込み動作のために必要な壁電荷を各電極上に形成するとともに、書込み放電を安定して発生させるためのプライミング粒子（書込み放電を発生させるための励起粒子）を発生させる。
【０００５】
書込み期間では、走査電極に順次走査パルスを印加（以下、この動作を「走査」とも記す）するとともに、データ電極には表示すべき画像信号に対応した書込みパルスを印加する（以下、これらの動作を総称して「書込み」とも記す）。それにより、走査電極とデータ電極との間で選択的に書込み放電を発生させ、選択的に壁電荷を形成する。
【０００６】
続く維持期間では、表示させるべき輝度に応じた所定の回数の維持パルスを走査電極と維持電極とからなる表示電極対に交互に印加する。それにより、書込み放電による壁電荷形成が行われた放電セルで選択的に放電を起こし、その放電セルを発光させる。これにより画像表示を行う。
【０００７】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００８】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【特許文献１】特開２０００−２４２２２４号公報
【発明の開示】
【発明が解決しようとする課題】
【０００９】
近年、パネルの高精細化にともない放電セルのさらなる微細化が進んでいる。この微細化された放電セルでは、壁電荷が失われる電荷抜けと呼ばれる現象が生じやすいことが確認されており、この電荷抜けが発生すると、放電不良が発生して画像表示品質を劣化させたり、あるいは、放電の発生に必要な印加電圧が上昇する等の問題が生じる。
【００１０】
電荷抜けが発生する主な原因の１つに書込み動作時の放電ばらつきがある。例えば、書込み動作時の放電ばらつきが大きく、書込み放電が強く発生してしまうと、発光させる放電セルと非発光の放電セルとが隣接したところで、発光させる放電セルが非発光の放電セルから壁電荷を奪ってしまうことがあり、電荷抜けが発生する。
【００１１】
したがって、書込み放電をできるだけ安定に発生させることが、電荷抜けを防止するためには重要である。そして、書込み放電を安定に発生させるには、初期化期間において初期化波形を安定に発生させ、初期化放電を安定に発生させることが重要である。
【００１２】
本発明はこのような課題に鑑みなされたものであり、初期化期間において下降する傾斜波形電圧を安定に発生させることができるプラズマディスプレイ装置およびパネルの駆動方法を提供することを目的とする。
【課題を解決するための手段】
【００１３】
本発明のプラズマディスプレイ装置は、走査電極と維持電極とからなる表示電極対を有する放電セルを複数備えたパネルと、初期化期間と書込み期間と維持期間とを有するサブフィールドを１フィールド期間内に複数設け、初期化期間において下降する傾斜波形電圧を発生させるミラー積分回路およびミラー積分回路に定電流を供給する定電流発生回路を有する走査電極駆動回路とを備え、走査電極駆動回路は、ミラー積分回路を、スイッチング素子、第１のコンデンサ、抵抗、第１のコンデンサに電気的に直列に接続したツェナーダイオードを有する構成とするとともに、ツェナーダイオードに電気的に並列に接続した第２のコンデンサを有する構成としたことを特徴とする。
【００１４】
これにより、初期化期間において下降する傾斜波形電圧を安定に発生させることが可能となる。
【００１５】
また、このプラズマディスプレイ装置においては、ミラー積分回路に備えられたスイッチング素子をＩＧＢＴで構成したことを特徴とする。これにより、大電流を流す際に生じる損失を低減することができる。
【００１６】
また、このプラズマディスプレイ装置において、走査電極駆動回路は、スイッチング素子に、定電流発生回路から出力される定電流で下降する傾斜波形電圧を発生させる動作をさせるか、定電流発生回路への入力信号にもとづくスイッチング動作をさせるかのいずれかの動作に切換える切換え回路を有し、切換え回路は、スイッチング素子に、書込み期間においては走査パルス電圧を発生させるためのスイッチング動作をさせ、初期化期間においては下降する傾斜波形電圧を発生させるための動作をさせるように構成してもよい。これにより、初期化動作における下降する傾斜波形電圧を発生させるためのミラー積分回路のスイッチング素子と、走査電極駆動回路の基準電位Ａを負の電圧Ｖａに維持するためのスイッチング素子とを１つにまとめることができる。また、切換え回路により、ミラー積分回路のスイッチング素子に、下降する傾斜波形電圧を発生させるための信号とパルス波形を発生させるための信号とのいずれかを選択的に入力することができる。これにより、ミラー積分回路のスイッチング素子に、初期化動作における下りランプ波形電圧を発生させるための動作と、書込み期間に負のパルス電圧Ｖａを発生させるためのスイッチング動作とを切換えて動作させることができるので、パネルを駆動するための大電流を流す定格値の高い部品の使用点数を削減することができる。
【００１７】
また、本発明のパネルの駆動方法は、走査電極と維持電極とからなる表示電極対を有する放電セルを複数備えたパネルを、初期化期間と書込み期間と維持期間とを有するサブフィールドを１フィールド期間内に複数設け、スイッチング素子と第１のコンデンサと抵抗と第１のコンデンサに電気的に直列に接続したツェナーダイオードとツェナーダイオードに電気的に並列に接続した第２のコンデンサとを有し初期化期間において下降する傾斜波形電圧を発生させるミラー積分回路およびミラー積分回路に定電流を供給する定電流発生回路を有する走査電極駆動回路を用いて駆動するパネルの駆動方法であって、書込み期間においては、ミラー積分回路に備えられたスイッチング素子に定電流発生回路への入力信号にもとづくスイッチング動作をさせて走査パルス電圧を発生させる動作をさせ、初期化期間においてはミラー積分回路に定電流発生回路から出力される定電流で下降する傾斜波形電圧を発生させる動作をさせることを特徴とする。
【００１８】
これにより、初期化期間において下降する傾斜波形電圧を安定に発生させることが可能となる。また、初期化動作における下降する傾斜波形電圧を発生させるためのミラー積分回路のスイッチング素子と、走査電極駆動回路の基準電位Ａを負の電圧Ｖａに維持するためのスイッチング素子とを１つにまとめることができる。また、切換え回路により、ミラー積分回路のスイッチング素子に、下降する傾斜波形電圧を発生させるための信号とパルス波形を発生させるための信号とのいずれかを選択的に入力することができる。これにより、ミラー積分回路のスイッチング素子に、初期化動作における下りランプ波形電圧を発生させるための動作と、書込み期間に負のパルス電圧Ｖａを発生させるためのスイッチング動作とを切換えて動作させることができるので、パネルを駆動するための大電流を流す定格値の高い部品の使用点数を削減することができる。
【発明の効果】
【００１９】
本発明によれば、初期化期間において下降する傾斜波形電圧を安定に発生させることができるプラズマディスプレイ装置およびパネルの駆動方法を提供することが可能となる。
【発明を実施するための最良の形態】
【００２０】
以下、本発明の実施の形態におけるプラズマディスプレイ装置について、図面を用いて説明する。
【００２１】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２２】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２３】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２４】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２５】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２６】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２７】
次に、パネル１０を駆動するための駆動電圧波形とその動作の概要について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２８】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる全セル初期化動作と、直前のサブフィールドで維持放電を行った放電セルだけで選択的に初期化放電を発生させる選択初期化動作とがある。
【００２９】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数を「輝度倍率」と呼ぶ。
【００３０】
本実施の形態では、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８１）の輝度重みを持つものとする。そして、第１ＳＦの初期化期間では全セル初期化動作を行い、第２ＳＦ〜第１０ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。また、維持期間の最後に傾斜波形電圧を発生させており、これにより、続くサブフィールドの書込み期間における書込み動作を安定させている。
【００３１】
しかし、本実施の形態は、サブフィールド数や各サブフィールドの輝度重みが上記の値に限定されるものではなく、また、画像信号等にもとづいてサブフィールド構成を切換える構成であってもよい。
【００３２】
続いて、駆動電圧波形の概要および駆動回路の構成について説明する。
【００３３】
図３は、本発明の実施の形態１におけるパネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示しているが、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００３４】
まず、全セル初期化サブフィールドである第１ＳＦについて説明する。
【００３５】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する第１の傾斜波形電圧（以下、「上りランプ波形電圧」と呼称する）を印加する。
【００３６】
なお、本実施の形態では、この上りランプ波形電圧を約１．３Ｖ／μｓｅｃの勾配にして発生させている。
【００３７】
この上りランプ波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３８】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３９】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００４０】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００４１】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００４２】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００４３】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４４】
続く維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４５】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４６】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４７】
そして、維持期間の最後には、走査電極ＳＣ１〜走査電極ＳＣｎに、ベース電位となる０（Ｖ）から電圧Ｖｅｒｓに向かって緩やかに上昇する第２の傾斜波形電圧（以下、「消去ランプ波形電圧」と呼称する）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。
【００４８】
具体的には、維持電極ＳＵ１〜維持電極ＳＵｎを０（Ｖ）に戻した後、ベース電位となる０（Ｖ）から放電開始電圧を超える電圧Ｖｅｒｓに向かって上昇する第２の傾斜波形電圧である消去ランプ波形電圧を、第１の傾斜波形電圧である上りランプ波形電圧よりも急峻な勾配、例えば約１０Ｖ／μｓｅｃの勾配で発生させ、走査電極ＳＣ１〜走査電極ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜走査電極ＳＣｎへの印加電圧が上昇する期間、持続して発生する。そして、上昇する電圧があらかじめ定めた所定電位である電圧Ｖｅｒｓに到達したら、走査電極ＳＣ１〜走査電極ＳＣｎに印加する電圧をベース電位となる０（Ｖ）まで降下させる。
【００４９】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣ１〜走査電極ＳＣｎ上と維持電極ＳＵ１〜維持電極ＳＵｎ上との間の壁電圧は、走査電極ＳＣｉに印加した電圧と放電開始電圧の差、すなわち（電圧Ｖｅｒｓ−放電開始電圧）の程度まで弱められる。この消去ランプ波形電圧によって発生させる維持期間の最後の放電を「消去放電」と呼称する。
【００５０】
なお、本実施の形態では、電圧Ｖｅｒｓの電圧値を維持パルス電圧Ｖｓ（ここでは、２００（Ｖ））よりもやや低い電圧、例えば、１９０（Ｖ）に設定しているが、ここでは電圧Ｖｅｒｓの電圧値を、維持パルス電圧Ｖｓ−１０（Ｖ）以上かつ維持パルス電圧Ｖｓ＋１０（Ｖ）以下の電圧範囲に設定することが望ましい。電圧Ｖｅｒｓの電圧値をこの上限値よりも大きくすると壁電圧の調整が過剰となり、また、下限値よりも小さくすると壁電圧の調整が不足して、それぞれ続く書込み動作を安定に行えない恐れがあるためである。
【００５１】
また、本実施の形態では、消去ランプ波形電圧の勾配を約１０Ｖ／μｓｅｃにする構成を説明したが、この勾配は、２Ｖ／μｓｅｃ以上２０Ｖ／μｓｅｃ以下に設定することが望ましい。勾配をこの上限値よりも急峻にすると壁電圧を調整するための放電が微弱な放電とならず、また、勾配をこの下限値よりも緩やかにすると放電そのものが微弱になりすぎてしまい、それぞれ壁電圧の調整がうまく行えない恐れがあるためである。
【００５２】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００５３】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００５４】
画像信号処理回路４１は、入力された画像信号ｓｉｇをサブフィールド毎の発光・非発光を示す画像データに変換する。
【００５５】
タイミング発生回路４５は、水平同期信号Ｈおよび垂直同期信号Ｖにもとづき各回路ブロックの動作を制御する各種のタイミング信号を発生し、それぞれの回路ブロックへ供給する。
【００５６】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルス電圧を発生するための走査パルス発生回路（図示せず）を有する。そして、タイミング信号にもとづいて各走査電極ＳＣ１〜走査電極ＳＣｎをそれぞれ駆動する。
【００５７】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００５８】
維持電極駆動回路４４は、維持パルス発生回路（図示せず）および電圧Ｖｅ１、電圧Ｖｅ２を発生するための回路（図示せず）を備え、タイミング信号にもとづいて維持電極ＳＵ１〜維持電極ＳＵｎを駆動する。
【００５９】
次に、走査電極駆動回路４３の詳細とその動作について説明する。
【００６０】
図５は、本発明の実施の形態１におけるプラズマディスプレイ装置１の走査電極駆動回路４３の構成を示す回路図である。走査電極駆動回路４３は、維持パルスを発生させる維持パルス発生回路５０、初期化波形を発生させる初期化波形発生回路５３、走査パルスを発生させる走査パルス発生回路５４を備え、走査パルス発生回路５４のそれぞれの出力はパネル１０の走査電極ＳＣ１〜走査電極ＳＣｎのそれぞれに接続されている。なお、図５には、スイッチング素子Ｑ１３を用いた分離回路を示している。また、以下の説明においてスイッチング素子を導通させる動作を「オン」、遮断させる動作を「オフ」と表記し、スイッチング素子をオンさせる信号を「Ｈｉ」、オフさせる信号を「Ｌｏ」と表記する。なお、維持パルス発生回路５０の構成は、続く図６を用いて説明するので、ここでは説明を省略する。
【００６１】
初期化波形発生回路５３は、スイッチング素子Ｑ１１、コンデンサＣ１０、コンデンサＣ１０に電気的に直列に接続されたツェナーダイオードＤ１０、抵抗Ｒ１０を有し、電圧Ｖｉ２までランプ状に緩やかに上昇する初期化動作時の上りランプ波形電圧を発生する傾斜波形発生回路であるミラー積分回路５５と、絶縁ゲートバイポーラトランジスタ（Ｉｎｓｕｌａｔｅｄ  Ｇａｔｅ  Ｂｉｐｏｌａｒ  Ｔｒａｎｓｉｓｔｏｒ：ＩＧＢＴ）からなるスイッチング素子Ｑ１４、第１のコンデンサであるコンデンサＣ１２、コンデンサＣ１２に電気的に直列に接続されたツェナーダイオードＤ１１、抵抗Ｒ１１を有し、電圧Ｖｉ４までランプ状に緩やかに下降する下りランプ波形電圧を発生するミラー積分回路５６とを備えている。スイッチング素子Ｑ１４に用いるＩＧＢＴは、高電圧動作時にも低損失で制御が簡単であるという特徴を有する。そのため、大電流を流す際に生じる損失を低減することができる。
【００６２】
なお、ミラー積分回路５５に備えられたツェナーダイオードＤ１０は、全セル初期化動作時（ここでは、第１ＳＦの初期化期間）において上りランプ波形電圧を発生させる前に駆動波形を急峻に電圧Ｖｉ１まで立ち上げるための働きを有する。すなわち、ミラー積分回路５５の傾斜波形発生電位を切換える働きを有する。また、ミラー積分回路５６に備えられたツェナーダイオードＤ１１は、下りランプ波形電圧を発生させる前に駆動波形を急峻に電圧Ｖｉ３まで立ち下げるための働きを有する。すなわち、ミラー積分回路５６の傾斜波形発生電位を切換える働きを有する。
【００６３】
また、ミラー積分回路５５、ミラー積分回路５６には、所定の電圧（例えば、１５（Ｖ））から定電流を発生させる定電流発生回路５７、定電流発生回路５８がそれぞれ接続されている。例えば、初期化波形における上りランプ波形電圧を発生させる場合には、定電流発生回路５７の入力端子ＩＮａに所定の電圧（例えば、１５（Ｖ））を印加して入力端子ＩＮａを「Ｈｉ」にする。これにより定電流発生回路５７からミラー積分回路５５に定電流が供給される。ミラー積分回路５５から出力される電圧はツェナーダイオードＤ１０のツェナー電圧にもとづく電圧Ｖｉ１まで急峻に増加し、その後、抵抗Ｒ１０およびコンデンサＣ１０に向かって一定の電流が流れてスイッチング素子Ｑ１１のソース電圧がランプ状に上昇し、走査電極駆動回路４３の出力電圧もランプ状に上昇する。
【００６４】
また、初期化波形における下りランプ波形電圧を発生させる場合には、後述する入力端子ＳＣＳＵに所定の電圧（例えば、０（Ｖ））を印加して入力端子ＳＣＳＵを「Ｌｏ」にするとともに、定電流発生回路５８の入力端子ＩＮｂに所定の電圧（例えば、１５（Ｖ））を印加して入力端子ＩＮｂを「Ｈｉ」にする。これにより定電流発生回路５８からミラー積分回路５６に定電流が供給される。ミラー積分回路５６から出力される電圧はツェナーダイオードＤ１１のツェナー電圧にもとづく電圧Ｖｉ３まで急峻に降下し、その後、抵抗Ｒ１１およびコンデンサＣ１２に向かって一定の電流が流れてスイッチング素子Ｑ１４のコレクタ電圧がランプ状に下降し、走査電極駆動回路４３の出力電圧もランプ状に下降する。
【００６５】
なお、書込み期間においては、基準電位Ａを負の電圧Ｖａに接続するためのスイッチング動作が必要となるが、本実施の形態においては、ミラー積分回路５６のスイッチング素子Ｑ１４に、下りランプ波形電圧を発生させるための動作と、書込み期間における基準電位Ａを負の電圧Ｖａに接続するためのスイッチング動作との両方の動作を行わせるように初期化波形発生回路５３を構成している。
【００６６】
そのために、本実施の形態における初期化波形発生回路５３は、入力端子ＩＮｂに入力される信号で定電流発生回路５８を動作させるか、入力端子ＩＮｂに入力される信号をスイッチング素子Ｑ１４の制御信号としてそのまま使用するかを切換えるための切換え回路５９を備える。
【００６７】
切換え回路５９は、フォトカプラＰＣ１、フォトカプラＰＣ１の発光側ダイオード（以下、「１次側」とも記す）の電流制限のための抵抗Ｒ１、フォトカプラＰＣ１の受光側トランジスタ（以下、「２次側」とも記す）の電流制限のための抵抗Ｒ２、フォトカプラＰＣ１の動作にともなってスイッチング動作するスイッチング素子Ｑ１、スイッチング素子Ｑ１の電流制限のための抵抗Ｒ３、アノードをスイッチング素子Ｑ１のコレクタに接続しカソードを入力端子ＩＮｂに接続したダイオードＤ１、ＮＰＮ型のトランジスタＱ２とＰＮＰ型のトランジスタＱ３と抵抗Ｒ４と抵抗Ｒ５と抵抗Ｒ６とで構成されたインピーダンス変換回路、アノードをスイッチング素子Ｑ１のコレクタに接続しカソードをトランジスタＱ２のベースに接続したダイオードＤ２、アノードをトランジスタＱ３のベースに抵抗Ｒ６を介して接続しカソードを入力端子ＩＮｂに接続したダイオードＤ３とを有する。
【００６８】
そして、定電流発生回路５８からの出力でミラー積分回路５６を動作させ下りランプ波形電圧を発生させるときには、切換え回路５９の入力端子ＳＣＳＵに、例えば０（Ｖ）を印加して「Ｌｏ」にする。これによりフォトカプラＰＣ１の２次側は遮断され、スイッチング素子Ｑ１のベースには電圧Ｖｏ（例えば、１６（Ｖ））が印加されて、スイッチング素子Ｑ１は導通する。そして、ダイオードＤ１およびダイオードＤ２のアノードは負の電圧Ｖａとなり、ダイオードＤ２のカソードをベースに接続されたトランジスタＱ２は非動作状態となって、ミラー積分回路５６は定電流発生回路５８から出力される定電流で動作する。
【００６９】
また、入力端子ＩＮｂからの入力信号でミラー積分回路５６のスイッチング素子Ｑ１４にスイッチング動作をさせるときには、切換え回路５９の入力端子ＳＣＳＵに、例えば５（Ｖ）を印加して「Ｈｉ」にする。これによりフォトカプラＰＣ１の２次側は導通し、２次側のコレクタ電位とエミッタ電位（ここでは、負の電圧Ｖａ）とはほぼ等しくなって、スイッチング素子Ｑ１のベースには負の電圧Ｖａが印加される。したがって、スイッチング素子Ｑ１のエミッタ電位（ここでは、負の電圧Ｖａ）とベース電位とはほぼ等しくなり、スイッチング素子Ｑ１は非動作状態となる。これにより、スイッチング素子Ｑ１のコレクタ電位、すなわちダイオードＤ１のアノード電位およびダイオードＤ２のアノード電位は、入力端子ＩＮｂに印加される電圧により変化させることができるようになる。
【００７０】
例えば、入力端子ＩＮｂが「Ｌｏ」（０（Ｖ））のときは、ダイオードＤ１が導通してダイオードＤ１およびダイオードＤ２のアノード電位は入力端子ＩＮｂに印加されている電圧とほぼ等しい０（Ｖ）となり、ダイオードＤ２のカソード電位もほぼ０（Ｖ）となる。したがって、トランジスタＱ２のベースを入力端子ＩＮｂと同様に「Ｌｏ」にすることができる。
【００７１】
また、入力端子ＩＮｂが「Ｈｉ」（例えば、１５（Ｖ））のときは、ダイオードＤ１のアノードに接続された抵抗Ｒ３に電圧Ｖｏ（１６（Ｖ））が印加されているので、ダイオードＤ１が導通してダイオードＤ１およびダイオードＤ２のアノード電位は入力端子ＩＮｂに印加されている電圧とほぼ等しい１５（Ｖ）となり、ダイオードＤ２のカソード電位もほぼ１５（Ｖ）となる。このとき、入力端子ＩＮｂに電圧Ｖｏ以上の電圧が印加されたときはダイオードＤ１が導通しないのでダイオードＤ１およびダイオードＤ２のアノード電位は電圧Ｖｏとなり、ダイオードＤ２のカソード電位もほぼ電圧Ｖｏとなる。したがって、いずれの場合においてもトランジスタＱ２のベース電位を入力端子ＩＮｂと同様に「Ｈｉ」にすることができる。
【００７２】
したがって、入力端子ＩＮｂが「Ｈｉ」になるとトランジスタＱ２のエミッタからは「Ｈｉ」が出力され、入力端子ＩＮｂが「Ｌｏ」になるとトランジスタＱ２のエミッタからは「Ｌｏ」が出力される。これにより、ミラー積分回路５６のスイッチング素子Ｑ１４に、入力端子ＩＮｂに印加される電圧に応じたスイッチング動作をさせることができる。
【００７３】
なお、ミラー積分回路５６には、走査電極ＳＣ１〜走査電極ＳＣｎを駆動するための大電流を流さなければならず定格値の高い比較的高価かつ大きな部品を使用する必要がある。これは、書込み期間に基準電位Ａを負の電圧Ｖａに接続するためのスイッチング動作に関しても同様である。したがって、ミラー積分回路５６とは別に、書込み期間に基準電位Ａを負の電圧Ｖａに接続するためのスイッチング素子を設ける構成では、大電流を流すことができる定格値の高い高価な部品がさらに必要となる。しかし、本実施の形態では、切換え回路５９により、スイッチング素子Ｑ１４に、初期化動作における下りランプ波形電圧を発生させるための動作と、書込み期間に基準電位Ａを負の電圧Ｖａに接続するためのスイッチング動作とを切換えて動作させることができるので、定格値の高い高価な部品の使用点数を削減することができる。なお、切換え回路５９は、定格値の低い比較的安価かつ小さな部品で構成することができるので、走査電極駆動回路４３を構成する上でそれほど大きな負担とはならない。
【００７４】
走査パルス発生回路５４は、走査電極ＳＣ１〜走査電極ＳＣｎのそれぞれに走査パルスを出力する複数の走査ＩＣ６０（ここでは、走査ＩＣ（１）〜走査ＩＣ（１２））と、電圧Ｖａに電圧Ｖｓｃｎを重畳した電圧Ｖｃを走査ＩＣ６０の高電圧側に印加するためのダイオードＤ３１およびコンデンサＣ３１と、２つの入力端子に入力される入力信号の大小を比較する比較器ＣＰ１と、比較器ＣＰ１の一方の入力端子に電圧（Ｖａ＋Ｖｓｅｔ２）を印加するためのスイッチング素子ＳＷ１とを備えている。なお、比較器ＣＰ１の他方の入力端子は、基準電位Ａに接続されている。
【００７５】
走査ＩＣ６０は、低電圧側の入力端子である入力端子ＩＮ１と高電圧側の入力端子である入力端子ＩＮ２との２つの入力端子を有し、制御信号にもとづき、２つの入力端子に入力される信号のいずれかを出力する。そして、走査ＩＣ６０のそれぞれには、制御信号として、書込み期間においてタイミング発生回路４５から出力される走査開始信号ＳＩＤ（ここでは、走査開始信号ＳＩＤ（１））、制御信号ＯＣ１、および比較器ＣＰ１から出力される制御信号ＯＣ２が入力される。
【００７６】
走査開始信号ＳＩＤ、制御信号ＯＣ１は、走査ＩＣ６０に動作を開始させるための信号である。例えば、走査ＩＣ（１）から走査パルスを出力させる場合、タイミング発生回路４５は、制御信号ＯＣ１を「Ｌｏ」（例えば、０（Ｖ））にするとともに、走査開始信号ＳＩＤ（１）を「Ｌｏ」から「Ｈｉ」（例えば、５（Ｖ））に変化させ、走査ＩＣ（１）に動作の開始を指示する。走査ＩＣ（１）は、走査開始信号ＳＩＤ（１）の電圧変化を検知して動作を開始し、これにより走査ＩＣ（１）は走査ＩＣ（１）に接続された走査電極（例えば、走査電極ＳＣ１〜走査電極ＳＣ９０）に印加する走査パルス電圧Ｖａを順次発生させる。走査ＩＣ（１）は、最後の走査電極（例えば、走査電極ＳＣ９０）への走査が終了した後、シフトレジスター等を使って走査開始信号ＳＩＤ（１）を遅延させて作成した走査開始信号ＳＩＤ（２）を出力し、次段の走査ＩＣ（２）に供給する。なお、タイミング発生回路４５から走査開始信号ＳＩＤ（２）を出力させる構成としてもかまわない。この走査開始信号ＳＩＤ（２）により、走査ＩＣ（２）は動作を開始する。以降、同様に、走査開始信号ＳＩＤ（ｎ）が入力される走査ＩＣ（ｎ）の動作が開始される。
【００７７】
制御信号ＯＣ２は、走査ＩＣ６０の動作状態を切換えるための制御信号である。制御信号ＯＣ２は比較器ＣＰ１から出力される。比較器ＣＰ１は、スイッチング素子ＳＷ１がオンのときに電圧（Ｖａ＋Ｖｓｅｔ２）と基準電位Ａとを比較する。そして、基準電位Ａの方が高い場合には「Ｌｏ」を、それ以外では「Ｈｉ」を、制御信号ＯＣ２として出力し、走査ＩＣ６０に入力する。
【００７８】
そして、走査ＩＣ６０は、この制御信号ＯＣ２が「Ｌｏ」のときには低電圧側の入力端子である入力端子ＩＮ１に入力される信号、ここでは基準電位Ａの電圧を出力し、制御信号ＯＣ２が「Ｈｉ」のときには高電圧側の入力端子である入力端子ＩＮ２に入力される信号を出力する。これにより、下りランプ波形電圧の最低電圧を、電圧値の異なる複数の電圧で切換えて（例えば、スイッチング素子ＳＷ１がオフのときには電圧Ｖａにし、スイッチング素子ＳＷ１がオンのときには電圧（Ｖａ＋Ｖｓｅｔ２）にして）発生させることができる。なお、スイッチング素子ＳＷ１のオン／オフは、タイミング発生回路４５によって制御される。
【００７９】
また、走査パルス発生回路５４は、初期化期間では初期化波形発生回路５３の電圧波形を出力し、維持期間では維持パルス発生回路５０の電圧波形を出力するように、タイミング発生回路４５によって制御される。
【００８０】
図６は、本発明の実施の形態１におけるプラズマディスプレイ装置１の維持パルス発生回路５０の構成を示す回路図である。なお、図６には、スイッチング素子Ｑ２５を用いた分離回路を示している。
【００８１】
維持パルス発生回路５０は、電力回収回路５１とクランプ回路５２とを備えている。電力回収回路５１は、電力回収用のコンデンサＣ２１、スイッチング素子Ｑ２１、スイッチング素子Ｑ２２、逆流防止用のダイオードＤ２１、逆流防止用のダイオードＤ２２、共振用のインダクタＬ２１を有している。なお、電力回収用のコンデンサＣ２１は電極間容量Ｃｐに比べて十分に大きい容量を持ち、電力回収回路５１の電源として働くように、電圧値Ｖｓの半分の約Ｖｓ／２に充電されている。クランプ回路５２は、走査電極ＳＣ１〜走査電極ＳＣｎを電圧Ｖｓにクランプするためのスイッチング素子Ｑ２３、走査電極ＳＣ１〜走査電極ＳＣｎを０（Ｖ）にクランプするためのスイッチング素子Ｑ２４を有している。そして、タイミング発生回路４５から出力されるタイミング信号にもとづき各スイッチング素子を切換えて維持パルス電圧Ｖｓを発生させる。
【００８２】
維持パルス発生回路５０において、例えば、維持パルス波形を立ち上げる際には、スイッチング素子Ｑ２１をオンにして電極間容量ＣｐとインダクタＬ２１とを共振させ、電力回収用のコンデンサＣ２１からスイッチング素子Ｑ２１、ダイオードＤ２１、インダクタＬ２１を通して走査電極ＳＣ１〜走査電極ＳＣｎに電力を供給する。そして、走査電極ＳＣ１〜走査電極ＳＣｎの電圧が電圧Ｖｓに近づいた時点で、スイッチング素子Ｑ２３をオンにして、走査電極ＳＣ１〜走査電極ＳＣｎを電圧Ｖｓにクランプする。なお、スイッチング素子Ｑ２５がオフであっても、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）には、スイッチング動作を行う部分に対してボディダイオードと呼ばれる寄生ダイオードが逆並列（スイッチング動作を行う部分に対して並列に、かつスイッチング動作により電流が流れる方向とは逆方向が順方向となるよう）に生成されるため、スイッチング素子Ｑ２３をオンにすれば、このボディダイオードを介して走査電極ＳＣ１〜走査電極ＳＣｎを電圧Ｖｓにクランプすることができる。
【００８３】
逆に、維持パルス波形を立ち下げる際には、スイッチング素子Ｑ２２をオンにして電極間容量ＣｐとインダクタＬ２１とを共振させ、電極間容量ＣｐからインダクタＬ２１、ダイオードＤ２２、スイッチング素子Ｑ２２を通して電力回収用のコンデンサＣ２１に電力を回収する。そして、走査電極ＳＣ１〜走査電極ＳＣｎの電圧が０（Ｖ）に近づいた時点で、スイッチング素子Ｑ２４をオンにして、走査電極ＳＣ１〜走査電極ＳＣｎを０（Ｖ）にクランプする。
【００８４】
続いて、これらの動作を、タイミングチャートを用いて説明する。
【００８５】
図７は、本発明の実施の形態１における全セル初期化期間の走査電極駆動回路４３の動作の一例を説明するためのタイミングチャートである。なお、この図面では全セル初期化動作時の駆動波形を例にして説明するが、選択初期化動作において下りランプ波形電圧を発生させる際も、ここに説明する下りランプ波形電圧を発生させる際と同様の制御を行うものとする。
【００８６】
また、図７では、全セル初期化動作を行う駆動電圧波形を期間Ｔ１〜期間Ｔ５で示した５つの期間に分割し、それぞれの期間について説明する。また、電圧Ｖｉ２は電圧Ｖｒに等しいものとし、電圧Ｖｉ４は負の電圧Ｖａに電圧Ｖｓｅｔ２を重畳させた電圧（Ｖａ＋Ｖｓｅｔ２）に等しいものとして説明する。また、図面にはスイッチング素子をオンさせる信号を「ＯＮ」、オフさせる信号を「ＯＦＦ」と表記する。
【００８７】
また、図７には、スイッチング素子Ｑ１４における動作の違いを示すため、書込み期間の動作もあわせて示す。
【００８８】
まず、全セル初期化期間に初期化波形電圧を発生させる際の動作について説明する。
【００８９】
（期間Ｔ１）
期間Ｔ１では、維持パルス発生回路５０のスイッチング素子Ｑ２１をオンにする。すると、電極間容量ＣｐとインダクタＬ２１とが共振し、電力回収用のコンデンサＣ２１からスイッチング素子Ｑ２１、ダイオードＤ２１、インダクタＬ２１を通して走査電極ＳＣ１〜走査電極ＳＣｎの電圧が上がり始める。
【００９０】
（期間Ｔ２）
次に、維持パルス発生回路５０のスイッチング素子Ｑ２３をオンにする。するとスイッチング素子Ｑ２３およびスイッチング素子Ｑ２５を介して走査電極ＳＣ１〜走査電極ＳＣｎに電圧Ｖｓが印加され、走査電極ＳＣ１〜走査電極ＳＣｎの電位は電圧Ｖｓとなる。
【００９１】
（期間Ｔ３）
次に、入力端子ＩＮａを「Ｈｉ」にする。これにより、走査電極駆動回路４３の出力電圧は、電圧ＶｓからツェナーダイオードＤ１０のツェナー電圧にもとづく電圧Ｖｉ１まで急峻に増加する。その後、抵抗Ｒ１０およびコンデンサＣ１０に向かって一定の電流が流れ、スイッチング素子Ｑ１１のソース電圧がランプ状に上昇し、走査電極駆動回路４３の出力電圧はランプ状に上昇し始める。
【００９２】
この出力電圧が電圧Ｖｒ（本実施の形態では、電圧Ｖｉ２と等しい）まで上昇したら、その後、入力端子ＩＮａを「Ｌｏ」にする。具体的には入力端子ＩＮａに、例えば０（Ｖ）を印加する。
【００９３】
期間Ｔ３では、このようにして、放電開始電圧以下となる電圧Ｖｉ１から、放電開始電圧を超える電圧Ｖｒ（本実施の形態では、電圧Ｖｉ２と等しい）に向かって緩やかに上昇する第１の傾斜波形電圧である上りランプ波形電圧を発生させ、走査電極ＳＣ１〜走査電極ＳＣｎに印加する。この電圧上昇は、入力端子ＩＮａが「Ｈｉ」の間継続する。そして、この上りランプ波形電圧が上昇する間に走査電極ＳＣｉと維持電極ＳＵｉとの間の電圧差は放電開始電圧を超え、これにより、走査電極ＳＣｉと維持電極ＳＵｉとの間に微弱な初期化放電を発生させることができ、この微弱な放電を上りランプ波形電圧が上昇する期間、継続させることができる。
【００９４】
（期間Ｔ４）
入力端子ＩＮａを「Ｌｏ」にすると走査電極ＳＣ１〜走査電極ＳＣｎの電圧が電圧Ｖｓまで低下する。そしてその後、スイッチング素子Ｑ２３をオフにする。
【００９５】
（期間Ｔ５）
次に、切換え回路５９の入力端子ＳＣＳＵを「Ｌｏ」に維持したまま、下りランプ波形電圧を発生するミラー積分回路５６の入力端子ＩＮｂを「Ｈｉ」にする。すると、走査電極駆動回路４３の出力電圧は、電圧ＶｓからツェナーダイオードＤ１１のツェナー電圧にもとづく電圧Ｖｉ３まで急峻に降下する。その後、抵抗Ｒ１１およびコンデンサＣ１２に向かって一定の電流が流れ、スイッチング素子Ｑ１４のコレクタ電圧がランプ状に下降し、走査電極駆動回路４３の出力電圧はランプ状に下降し始める。
【００９６】
なお、このときスイッチング素子ＳＷ１をオンしておくと、比較器ＣＰ１において基準電位Ａと電圧（Ｖａ＋Ｖｓｅｔ２）とが比較されその結果が制御信号ＯＣ２として出力されるので、下りランプ波形電圧は、電圧（Ｖａ＋Ｖｓｅｔ２）で降下を停止し、その後、電圧Ｖｃまで上昇し電圧Ｖｃを維持する波形とすることができる。なお、スイッチング素子ＳＷ１をオフにすれば、下りランプ波形電圧を電圧Ｖａまで降下させる波形とすることもできる。
【００９７】
そして、初期化期間が終了する直前に、入力端子ＩＮｂを「Ｌｏ」とする。具体的には入力端子ＩＮｂに、例えば０（Ｖ）を印加する。
【００９８】
期間Ｔ５では、このようにして、下りランプ波形電圧を発生させ、走査電極ＳＣ１〜走査電極ＳＣｎに印加する。
【００９９】
（書込み期間）
書込み期間では、切換え回路５９の入力端子ＳＣＳＵを「Ｈｉ」にする。これにより、スイッチング素子Ｑ１４は、入力端子ＩＮｂに入力される信号にもとづくスイッチング動作を行うようになる。そして、走査電極ＳＣｉに走査パルス電圧を印加するタイミングで、入力端子ＩＮｂを「Ｈｉ」にする。これにより、基準電位Ａはスイッチング素子Ｑ１４を介して負の電圧Ｖａに接続され、走査電極ＳＣｉには負の走査パルス電圧Ｖａが印加される。
【０１００】
なお、図示はしていないが、スイッチング素子Ｑ１３は維持期間および期間Ｔ１〜期間Ｔ４の間はオンにし、期間Ｔ５およびそれ以降ではオフにする。また、スイッチング素子Ｑ２５は維持期間および期間Ｔ１〜期間Ｔ２の間はオンにし、期間Ｔ３および期間Ｔ４はオフ、期間Ｔ５およびそれ以降ではオンにする。
【０１０１】
以上のようにして、走査電極駆動回路４３は、初期化波形、および走査パルス電圧を発生させる。
【０１０２】
以上説明したように、本実施の形態によれば、ミラー積分回路５６のスイッチング素子Ｑ１４に、初期化動作における下りランプ波形電圧を発生させるための動作と、書込み期間に基準電位Ａを負の電圧Ｖａに接続するためのスイッチング動作とを切換えて動作させることができるので、下りランプ波形電圧を発生させるためのミラー積分回路のスイッチング素子と、走査電極駆動回路の基準電位Ａを負の電圧Ｖａに維持するためのスイッチング素子とを１つにまとめることができる。また、切換え回路５９により、ミラー積分回路５６のスイッチング素子Ｑ１４に、下りランプ波形電圧を発生させるための信号とパルス波形を発生させるための信号とのいずれかを選択的に入力して動作させることができる。これにより走査電極ＳＣ１〜走査電極ＳＣｎを駆動するための大電流を流すことができる定格値の高い比較的高価かつ大きな部品の使用点数を削減して、走査電極駆動回路４３を構成することが可能となる。
【０１０３】
（実施の形態２）
図８は、本発明の実施の形態２におけるプラズマディスプレイ装置の走査電極駆動回路４３の構成を示す回路図である。なお、図８に示す走査電極駆動回路４３１が実施の形態１で図５に示した走査電極駆動回路４３と異なる点は、初期化波形発生回路５３１において、下りランプ波形電圧を発生するミラー積分回路５６１を、図５に示したミラー積分回路５６に動作安定用のコンデンサＣ１３を加えた構成とした点である。それ以外の構成は走査電極駆動回路４３１と図５に示した走査電極駆動回路４３とで同様であるので、同様の構成については説明を省略し、ここでは、構成の異なるミラー積分回路５６１について説明する。
【０１０４】
ミラー積分回路５６１は、ミラー積分回路５６と同様にＩＧＢＴからなるスイッチング素子Ｑ１４、第１のコンデンサであるコンデンサＣ１２、コンデンサＣ１２に電気的に直列に接続されたツェナーダイオードＤ１１、抵抗Ｒ１１を備え、さらに、ツェナーダイオードＤ１１に電気的に並列に接続された第２のコンデンサである動作安定用のコンデンサＣ１３を備えている。
【０１０５】
図９は、本発明の実施の形態２における初期化波形の概略図であるが、ミラー積分回路から出力される電圧をツェナーダイオードＤ１１のツェナー電圧にもとづく電圧まで急峻に降下（ここでは、電圧Ｖｓから電圧Ｖｉ３まで急峻に降下）させ、その後、下りランプ波形電圧を発生させるように構成したミラー積分回路（コンデンサＣ１３を備えない構成）では、図９の破線に示すように階段状の電圧降下が発生し、なめらかに電圧降下させることができない場合がある。これは、次のような現象が発生しているためと考えられる。なお、以下の動作説明は、ミラー積分回路にコンデンサＣ１３を備えないときの動作を説明したものである。
【０１０６】
まず、定電流発生回路５８から供給される電流がコンデンサＣ１２に蓄積されてコンデンサＣ１２の電圧が上昇する。このとき、コンデンサＣ１２のツェナーダイオードＤ１１側の電位は、スイッチング素子Ｑ１４のコレクタ電位からツェナーダイオードＤ１１のツェナー電圧を引いた電位である。コンデンサＣ１２の電圧上昇にともない、スイッチング素子Ｑ１４のゲート電位が徐々に上昇していく。スイッチング素子Ｑ１４のゲート電位がしきい値電圧を超えると、スイッチング素子Ｑ１４のコレクタ−エミッタ間に急峻に電流が流れ、コレクタ電位が下がる。スイッチング素子Ｑ１４のコレクタ電位が下がってツェナーダイオードＤ１１のカソードの電位がアノードの電位よりも下がると、ツェナーダイオードＤ１１の順方向に電流が流れる。これにより、コンデンサＣ１２の電位が下がり、スイッチング素子Ｑ１４のゲート電位も下がる。スイッチング素子Ｑ１４のゲート電位がしきい値電圧以下となると、スイッチング素子Ｑ１４のコレクタ−エミッタ間の電流は遮断されて、コレクタ電位の降下は停止する。その間も定電流発生回路５８からはコンデンサＣ１２に電流が供給され続けるので、コンデンサＣ１２の電圧は徐々に上昇し、再度スイッチング素子Ｑ１４のゲート電位がしきい値電圧を超えると、スイッチング素子Ｑ１４のコレクタ−エミッタ間に急峻に電流が流れ、これによりスイッチング素子Ｑ１４のコレクタ電位が下がる。以降、これらの動作を繰り返し、図９の破線に示すように階段状の電圧降下が発生する。
【０１０７】
しかし、図８に示すように、ツェナーダイオードＤ１１にコンデンサＣ１３を電気的に並列に接続することで、ツェナーダイオードＤ１１と平行に電流を流す経路を設けることができる。これにより、コンデンサＣ１２の急峻な電圧降下を抑制してミラー積分回路５６１の動作を安定化させ、図９の実線に示すように、なめらかに降下する下りランプ波形電圧を発生させることが可能となる。なお、このときの下りランプ波形電圧の傾斜は、（定電流発生回路５８からコンデンサＣ１２に流れる電流）／（コンデンサＣ１３の容量）となる。なお、本実施の形態では、コンデンサＣ１２の容量を２μＦ、コンデンサＣ１３の容量を１μＦとしているが、この数値は単なる一実施例に過ぎず、本発明は何らこの数値に限定されるものではない。
【０１０８】
以上示したように、本実施の形態によれば、ツェナーダイオードＤ１１にコンデンサＣ１３を電気的に並列に接続することで、ミラー積分回路５６１の動作を安定化させ、下りランプ波形電圧を安定に発生させることが可能となる。
【０１０９】
なお、本実施の形態では、スイッチング素子Ｑ１４にＩＧＢＴを用いる構成を説明したが、スイッチング素子Ｑ１４にＭＯＳＦＥＴを用いる構成であっても、上述と同様の効果を得ることができる。
【０１１０】
なお、本発明の実施の形態では、消去ランプ波形電圧を走査電極ＳＣ１〜走査電極ＳＣｎに印加する構成を説明したが、最後の維持パルスを印加する電極が走査電極ＳＣ１〜走査電極ＳＣｎの場合には、消去ランプ波形電圧を維持電極ＳＵ１〜維持電極ＳＵｎに印加する構成とすることもできる。しかし、本発明の実施の形態においては、最後の維持パルスを印加する電極を維持電極ＳＵ１〜維持電極ＳＵｎにし、消去ランプ波形電圧を走査電極ＳＣ１〜走査電極ＳＣｎに印加する構成にする方が望ましい。
【０１１１】
なお、本発明の実施の形態では、電力回収回路５１において、維持パルスの立ち上がりと立ち下がりとで１つのインダクタを共通に用いる構成を説明したが、複数のインダクタを用い、維持パルスの立ち上がりと立ち下がりとで異なるインダクタを使用する構成としてもかまわない。
【０１１２】
また、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【０１１３】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（以下、「ＡＢＢＡ電極構造」と呼称する）のパネルにおいても、有効である。
【０１１４】
なお、本発明の実施の形態において示した具体的な各数値、例えば電圧Ｖｅｒｓの電圧値や消去パルス波形電圧の勾配等は、表示電極対数１０８０の４２インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【０１１５】
本発明は、初期化期間において下降する傾斜波形電圧を安定に発生させることができるので、プラズマディスプレイ装置およびパネルの駆動方法として有用である。
【図面の簡単な説明】
【０１１６】
【図１】本発明の実施の形態１におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】同プラズマディスプレイ装置の走査電極駆動回路の構成を示す回路図
【図６】同プラズマディスプレイ装置の維持パルス発生回路の構成を示す回路図
【図７】本発明の実施の形態１における全セル初期化期間の走査電極駆動回路の動作の一例を説明するためのタイミングチャート
【図８】本発明の実施の形態２におけるプラズマディスプレイ装置の走査電極駆動回路の構成を示す回路図
【図９】本発明の実施の形態２における初期化波形の概略図
【符号の説明】
【０１１７】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３，４３１    走査電極駆動回路
４４    維持電極駆動回路
４５    タイミング発生回路
５０    維持パルス発生回路
５１    電力回収回路
５２    クランプ回路
５３，５３１    初期化波形発生回路
５４    走査パルス発生回路
５５，５６，５６１    ミラー積分回路
５７，５８    定電流発生回路
５９    切換え回路
６０    走査ＩＣ
ＰＣ１    フォトカプラ
Ｑ１，Ｑ１１，Ｑ１３，Ｑ１４，Ｑ２１，Ｑ２２，Ｑ２３，Ｑ２４，Ｑ２５，ＳＷ１    スイッチング素子
Ｃ１０，Ｃ１２，Ｃ１３，Ｃ２１，Ｃ３１    コンデンサ
Ｌ２１    インダクタ
Ｄ１，Ｄ２，Ｄ３，Ｄ２１，Ｄ２２，Ｄ３１    ダイオード
Ｄ１０，Ｄ１１    ツェナーダイオード
Ｒ１，Ｒ２，Ｒ３，Ｒ４，Ｒ５，Ｒ６，Ｒ１０，Ｒ１１    抵抗
Ｑ２，Ｑ３    トランジスタ
ＣＰ１    比較器
【図１】
2009186806.tif 000003
【図２】
2009186806.tif 000004
【図３】
2009186806.tif 000005
【図４】
2009186806.tif 000006
【図５】
2009186806.tif 000007
【図６】
2009186806.tif 000008
【図７】
2009186806.tif 000009
【図８】
2009186806.tif 000010
【図９】
2009186806.tif 000011